(57)【要約】【課題】観賞魚水槽内を照明したまま、水槽上面より垂直に照明装置を上昇させるにあたり、すでに所有する照明装置に昇降機能を付加でき、かつ通常の照明下降時の状態で水槽上に照明装置を隙間なく設置できる照明装置架台。また、両手でメンテナンスを行なうために照明装置と連動して水槽ガラスふたを開いた状態で固定すること。【解決手段】以上の課題を解決するために、本発明はてこの原理を用いることにより、水槽のメンテナンスの際に簡単かつ軽い操作力で照明装置を昇降させることのできることを特徴とする水槽照明架台である。その上に、本発明は手持ちの既存照明器具に後から昇降機能を付加させられ、かつ照明下降時に水槽上に隙間なく設置できることを特徴とする水槽照明架台である。また、本発明は照明装置の昇降とガラス蓋の開閉を同時に行なうことができ、ガラス蓋が開いた状態で固定することを特徴とする水槽照明架台の付属部品である。【選択図】図１
2004008042.tif 000002
【特許請求の範囲】
【請求項１】
水槽上枠に載置され、その開口上面を塞ぐ照明装置を備えた観賞魚用水槽において、上記照明装置下端と水槽上枠との間に左右一対設置するパンタグラフ状の昇降アームを、水槽上の左右に直立する昇降レバーを手前に引くことにより上昇させ、照明装置が上昇したまま固定することができ、水槽内のメンテナンスを容易に行なうことができることを特徴とする水槽照明架台。
【請求項２】
昇降装置には、パンタグラフ状昇降アームの交点に作用し、てこの原理と中央ヒンジ部に組み込まれた弦巻バネによりにより軽い操作力により照明装置を昇降させるＬ型のロッドと、照明装置を上昇したまま固定するためにロッドの回転を止めるストッパーを備えることを特徴とする請求項１記載の水槽照明架台。
【請求項３】
昇降装置は、既存の照明装置を使用するにあたり、水槽両脇の水槽上枠上に両面粘着テープ等により固定することができる他、水槽両脇の水槽上枠より下方に掛け提げるブラケットを用いることにより、照明装置と水槽上枠との間隙を最少としながら設置することができることを特徴とする請求項１又は請求項２記載の水槽照明架台。
【請求項４】
水槽上枠に載置され、その開口上面を塞ぐ照明装置を備えた観賞魚用水槽において、上記昇降装置を水槽左右に一対設置し、照明装置の反射傘前部とガラス蓋を連結することにより、照明装置とガラス蓋を同時に開閉することができることを特徴とする水槽照明架台付属部品。
【発明の詳細な説明】
【０００１】
【発明の属する技術分野】
この発明は、観賞魚飼育用の水槽の照明装置の支持架台に関するものである。
【０００２】
【従来の技術】従来、水槽の上面後方に濾過装置、上面前方に照明器具を載置する観賞魚水槽のメンテナンスを行なう際、照明を濾過装置の上に載せかえるか、一旦水槽から下ろすかして照明装置下のガラス蓋を開け、かつその蓋を水槽から下ろすか４５度程度の角度で固定しておく必要があった。
そこで、一般の机上の照明スタンドの如く（例えば特公平８−２９８８９６）、上部後方に跳ね上げる形式の水槽用照明架台も考案されていた。
しかし、これらの場合照明装置の光は水槽内から離れてしまい、水槽メンテナンスは薄暗い水中においてしなければ成らなかった。
又、照明装置を水槽上部から垂直に上昇させるべく、左右のコの字形のフレームをハの字形に開いて固定する装置（例えば特公平８−２９８８９５）が考案されたが、機構を照明器具内に組込む必要がある為、既存の照明器具には取付けられなかった。又、左右の各々２本の伸縮パイプによりスライドして固定する装置（例えば特公２００１−２９９１３９）では昇降装置の高さにより、照明下降時に水槽上枠と照明装置との間隙を無くすことが難しく、照明の光が外部に漏れて照明効率が悪い点があった。
【０００３】
【発明が解決しようとする課題】
しかしながら、以上の従来技術によれば、
▲１▼水槽内を照明したまま、水槽上面より垂直に照明装置を上昇させるにあたり、操作力が重い、又軽くする為には機構が複雑になり、安価に提供できない。
▲２▼通常の照明下降時の状態で水槽上に照明装置を隙間なく設置したい。
▲３▼すでに持っている照明装置に追加して利用することができない。
▲４▼両手でメンテナンスを行なうために照明装置を上昇させて、さらに水槽ガラスふたを開いた状態で固定したい。
【０００４】
【課題を解決するための手段】
以上の課題を解決するために、請求項１の発明は水槽のメンテナンスの際に簡単に照明装置を昇降させることのできることを特徴とする水槽照明架台である。
また、請求項２の発明は簡単で軽い操作力により照明装置を昇降させることができることを特徴とする水槽照明架台である。
また、請求項３の発明は手持ちの既存照明器具に後から昇降機能を付加させられ、かつ照明下降時に水槽上に隙間なく設置できることを特徴とする水槽照明架台である。
また、請求項４の発明は照明装置の昇降とガラス蓋の開閉を同時に行なうことができ、ガラス蓋が開いた状態で固定することを特徴とする水槽照明架台の付属部品である。
【０００５】
【発明の実施の形態】
この発明の−実施形態を、図１〜８に示す。
図１は照明上昇時の側面図、図２は同正面図であり、図３は照明下降時の側面図、図４は同正面図である。
図５は照明上昇時の全体図、図６は照明下降時の全体図、
図７は照明上昇時の断面図、図８は水槽全体の照明下降時の斜視図である。
【０００６】
【実施例】
各図に表現されている水槽はガラス製で上下をプラスチック製の枠で固定されているものであり、上部後方に濾過装置が載せられ、上部前方には１枚のガラス板の蓋が有り、その上を跨ぐ形で水槽側面上枠に照明装置が載せられている。
【０００７】
架台の各部品名称は　１．Ｘ型昇降アーム　２．昇降レバー　３．Ｌ型ロッド　４．上部ベース　５．下部ベース　６．ストッパー　７．ガイド溝　８．中央ヒンジ　９．ピン支承　１０．ローラー支承　１１．長穴　１２．ベースアングル　１３．リブプレート　１４．ブラケット　１５．照明台　１６．照明フックであり、１．２．３．８．９．１０．１５．１６．はステンレス製、他は樹脂製とする。
１．のＸ型昇降アームは２本の溝型形状の棒材を中央よりやや下部で中央ヒンジのビスを貫通させたもので、両端は円形に加工して組み合わせた外面に向かって突起を設ける。
２．３．の昇降アームとＬ型ロッドは１００度前後で折れ曲がり、その屈折点のやや上に中央ヒンジの通る穴を開け、ロッドの先端は球形に加工し、アームの先端には樹脂製の握りノブを設ける。
４．５のベースには１．の昇降アームを嵌め合せるための穴を開けるが、それぞれ一方は９．の一般の丸穴、他方はアームの突起がスライド可能な１１．の長穴とする。また、下ベースにはＬ型ロッドの先端が摺動する時に外れないように７．ガイド溝を設け、上ベースが最上部に達した点で止まるように６．のストッパーを設置し、溝上の直前に１段山をつくりクリック感を生じ、上ベースが上昇したまま固定されるようにする。
８．の中央ヒンジ部はＸ型アームを綴り合わせる際に溝形材がつぶれないための、パイプ状のスペーサー及び、操作力を軽減するための弦巻ばねを挿入し、ばねの両端をＸ型アームに引っ掛ける。
１２．のベースアングルは、昇降装置が水槽側面からの片持ち構造となり、下方に変形しやすい為、剛性を高める意味で１３．のリブプレートを適宜配置の上、水槽側面ガラスに両面粘着テープにて固定する。
１４．のブラッケトは１２．のベースアングルとの取り合いにおいて、高さ方向に調節可能なビス止めにし、照明の高さ及び傾きの微調整を可能とし、水槽上枠にＬ状の一端を掛け固定する。
１５．の照明台は厚めのステンレス板材とし照明装置を片持ち構造で支持しても撓まない強度をもつものとし、照明装置が滑り落ちないように、上面に照明装置の外面パネルに噛み合う１６．の滑り止めフックを設ける。
【０００８】
ガラス蓋連動装置の各部品名称は１７．ガラスクリップ　１８．ステー　１９．照明クリップ　２０．水槽蓋ガラスであり、２０．はすでに使用している水槽の１部である。
１７．のガラスクリップはステンレス板をＵ字形に曲げたクリップで、ガラス端部に粘着テープを貼りその上に上記クリップを挟み止め、ビスにより固定する。そしてそのビスに長さを伸縮して調整した１８．のステーを止める。
１８．のステーはステンレス板の２本の板状のものがスライドして伸縮するもので、中央付近ビスにより長さを調整する。
１９．の照明クリップはステンレスをＵ字形に曲げて、ビスにより照明装置前方下端のプラスチック製外枠を挟み止め、１７．と同様に１８．のステーの一端を固定する。
【０００９】前記の水槽架台を水槽側面に設置のうえ照明装置を載せて、ガラス蓋連動装置により照明装置とガラス蓋を連結する。そこで、最上部にある照明装置を下方に押し下げると、２と３のアームとロッドが下ベースのガイド溝と長穴を摺動しながら反時計回りに回転し、８の中央ヒンジが下降し、１のＸ型アームの開脚が広がり、４の上ベースと５の下ベースが接触するまで下がり、２の昇降レバーは直立する。
この時Ｘ型アームが閉脚する方向に組込まれたコイルバネが負荷をうけ、上ベースが上昇しようとする反発力が生じるが、照明装置の重量により押さえ込まれて中立する。
照明を上昇する時は２の直立したレバーを手前に引けば、２と３のアームとロッドが下ベースのガイド溝と長穴を摺動しながら時計回りに回転し、８の中央ヒンジが上昇し、１のＸ型アームの開脚が狭まり、３のロッド先端が６のストッパーに当り４の上ベースが最上部に固定される。
【００１０】
「実施形態の効果」
この実施形態によれば観賞魚のメンテナンスの際に左右１対の昇降装置上に直立するロッド２本を、同時に両手で手前に倒すことにより、照明装置を水槽上方に固定する事ができる他、片手で順次左右片方ずつ上昇後固定することも可能で、観賞魚の投餌等、片側のみの上昇時でも有効な水槽照明架台となる。
また、てこの原理により大型で重量のある照明器具においても比較的軽い操作で照明装置の上昇及び固定をすることが可能な上、アーム交差部に組込まれた弦巻バネを用いて、照明の下降時にバネに負荷を与えることで上昇時にはバネの反発力も加わりさらに軽い操作力で照明装置の上昇が可能となる。
また、既存の手持ちの照明装置の寸法によらず本発明を利用して、既存の手持ちの照明器具に昇降機能を付加することができる他、水槽上枠と照明装置との間にほとんど間隙をつくることなく設置することができる水槽照明架台となる。
さらに、照明装置とガラス蓋を連結することにより、一動作により照明器具の上昇とガラス蓋の開放及び固定作業を行うことができる水槽照明架台となる。
【００１１】
「他の実施形態」
図１〜８の実施形態では、別個の照明器具をのせる架台としての形態であるが、この装置を水槽照明器具の両端の蛍光管のない部分に組込むことで、昇降装置付の水槽照明器具とすることも考えられる。
【００１２】
【発明の効果】
以上説明したように、この発明によれば、以下に述べるような効果を得ることができる。
【００１３】
請求項１記載の発明によれば、観賞魚のメンテナンスの際に左右１対の昇降装置上に直立するロッド２本を、同時に両手で手前に倒すことにより、照明装置を水槽上方に固定する事ができる他、片手で順次左右片方ずつ上昇後固定することも可能で、観賞魚の投餌等、片側のみの上昇時でも有効な水槽照明架台となる。
【００１４】
請求項２記載の発明によれば上記した請求項１記載の発明の効果に加えて、次のような効果を奏する。すなわち、請求項２記載の発明によれば、てこの原理により大型で重量の重い照明器具においても比較的軽い操作で照明装置の上昇及び固定をすることが可能な上、アーム交差部に組込まれた弦巻バネを用いて、照明の下降時にバネに負荷を与えることで上昇時にはバネの反発力も加わりさらに軽い操作力で照明装置の上昇が可能となる。
さらに、簡単な機構ゆえに低コストで耐久性のある水槽照明架台となる。
【００１５】
請求項３記載の発明によれば上記した請求項１及び請求項２記載の発明の効果に加えて、次のような効果を奏する。すなわち、請求項３記載の発明によれば、既存の手持ちの照明装置の寸法によらず本発明を利用して、既存の手持ちの照明器具に昇降機能を付加することができる他、水槽上枠と照明装置との間にほとんど間隙をつくることなく設置することが可能な水槽照明架台となる。
【００１６】
請求項４記載の発明によれば上記した請求項１及び請求項２及び請求項３記載の発明の効果に加えて、次のような効果を奏する。すなわち、請求項４記載の発明によれば、照明装置とガラス蓋を連結することにより、一動作により照明器具の上昇とガラス蓋の開放及び固定を行うことになり、両手で水槽メンテナンスを行なうことが可能な水槽照明架台となる。
【００１７】
【図面の簡単な説明】
【図１】この発明の−実施形態を示す照明上昇時の側面図である。
【図２】この発明の−実施形態を示す照明上昇時の正面図である。
【図３】この発明の−実施形態を示す照明下降時の側面図である。
【図４】この発明の−実施形態を示す照明下降時の正面図である。
【図５】この発明の−実施形態を示す照明上昇時の全体正面図である。
【図６】この発明の−実施形態を示す照明下降時の全体正面図である。
【図７】この発明の−実施形態を示す照明上昇時の断面図である。
【図８】この発明の−実施形態を示す照明下降時の斜視図である。
【符号の説明】
１．Ｘ型昇降アーム
２．昇降レバー
３．Ｌ型ロッド
４．上部ベース
５．下部ベース
６．ストッパー
７．ガイド溝
８．中央ヒンジ
９．ピン支承
１０．ローラー支承
１１．長穴
１２．ベースアングル
１３．リブプレート
１４．ブラケット
１５．照明台
１６．照明フック
１７．ガラスクリップ
１８．ステー
１９．照明クリップ
２０．水槽蓋ガラス
【図１】
2004008042.tif 000003
【図２】
2004008042.tif 000004
【図３】
2004008042.tif 000005
【図４】
2004008042.tif 000006
【図５】
2004008042.tif 000007
【図６】
2004008042.tif 000008
【図７】
2004008042.tif 000009
【図８】
2004008042.tif 000010